(57)【要約】【課題】実装効率の向上及び機器の小型化に寄与し、メモリカードの挿抜操作を簡単に行う。【解決手段】メモリカードがカード収容部１に収容された状態で、後端押え部１６がカード収容部１の奥部側へ向けて押されることによって、後端押え部１６が湾曲して、メモリカードの下面側に潜り込み、メモリカードの後端部を押し上げる。また、メモリカードを保持するために必要な占有領域は、メモリカードの周囲に配置され、筐体と一体成形された周側面押え部や上面押え部等の厚さ分程度とされている。【選択図】図１
2008250563.tif 000002
【特許請求の範囲】
【請求項１】
メモリカードが収容される収容部を備えた電子機器の筐体に設けられ、前記収容部において、前記メモリカードを挿抜自在に保持するためのカード保持構造であって、
前記収容部は、前記メモリカードの裏面を支持する支持部と、前記メモリカードの周側面を押える周側面押え部と、前記メモリカードの表面の少なくとも前端部を押える表面押え部とを有すると共に、前記メモリカードを挿抜するための開口が設けられ、
前記周側面押え部は、前記メモリカードの前記周側面のうち後端縁を押えると共に前記収容部の奥部へ向けて湾曲可能なように形成された後端押え部を有し、
前記メモリカードが前記収容部に収容された状態で、前記後端押え部が前記収容部の奥部へ向けて押されることによって、前記後端押え部が湾曲して、前記メモリカードの裏面側に潜り込み、前記メモリカードの後端部を押し上げることを特徴とするカード保持構造。
【請求項２】
前記後端押え部の前記収容部の内部側には、前記メモリカードの裏面側への潜込みを容易化するための傾斜面が形成されていることを特徴とする請求項１記載のカード保持構造。
【請求項３】
前記後端押え部は、前記周側面押え部を構成し、前記メモリカードの前記挿抜方向に沿った両側面を押さえる側面押え部と一体的に形成され、前記側面押え部との境界部の隅部は、略半円筒状に切り欠かれて肉薄とされ、撓み変形が容易なようにされていることを特徴とする請求項１又は２記載のカード保持構造。
【請求項４】
前記後端押え部の上端部の所定の部位は切り欠かれて、前記メモリカードの後端部を掴むための指差入れ部とされていることを特徴とする請求項１、２又は３記載のカード保持構造。
【請求項５】
前記支持部、前記周側面押え部及び前記表面押え部は、前記筐体と一体的に形成されていることを特徴とする請求項１乃至４のいずれか１に記載のカード保持構造。
【請求項６】
前記支持部は、前記メモリカードの少なくとも後端部を支持する一対の台座部からなり、前記周側面押え部は、壁状リブからなり、前記表面押え部は、庇状リブからなり、前記開口は、前記台座部の上方に設けられていることを特徴とする請求項１乃至５のいずれか１に記載のカード保持構造。
【請求項７】
前記メモリカードの裏面には、接続端子が露出状態で形成され、前記収容部には、前記接続端子に対応する接続コネクタの接続端子が配置されていることを特徴とする請求項１乃至６のいずれか１に記載のカード保持構造。
【請求項８】
請求項１乃至７のいずれか１に記載のカード保持構造を備えたことを特徴とする電子機器。
【発明の詳細な説明】
【技術分野】
【０００１】
この発明は、カード保持構造及び該構造を備えた電子機器に係り、例えば、携帯電話機等の携帯型の電子機器において、ＳＩＭ（Subscriber Identity Module）カード等の小型のメモリカードを挿抜自在に保持するためのカード保持構造及び該構造を備えた電子機器に関する。
【背景技術】
【０００２】
従来より、携帯型の電子機器としての例えば携帯電話機においては、例えば、ＳＩＭカード等の小型のメモリカードから所定のの情報を読み取るためのカード読取部を備えてなると共に、その筐体内部には、メモリカードを収納するためのカード収納部が形成されている。
【０００３】
こうしたカード収納部は、例えば、筐体の内部に形成された、電池パックが収容される電池収容部の近傍に設けられ、電池収容部とカード収容部とを覆うように、平板状のカバー部材が筐体に着脱自在に取り着けられ、電池パックが電池収容部に収容された状態で、かつ、メモリカードがカード収容部に収容された状態で、カバー部材によって覆われ保護される。
【０００４】
カード収納部において保持された状態で、メモリカードは、下面に形成された接続端子が、接続コネクタの対応する接続端子に弾性的に押し付けられて、電子機器に実装されたプリント配線板に接続される（例えば、特許文献１、特許文献２等参照。）。
携帯電話機等は、近年、多機能化が図られていると共に、小型化されてきており、カード収納部の小型化も求められているが、ＳＩＭカード等のメモリカードのサイズは変わらない。
【特許文献１】特開２００６−１３４０８７号公報
【特許文献２】特開２００６−２９４０５５号公報
【発明の開示】
【発明が解決しようとする課題】
【０００５】
解決しようとする問題点は、上記従来技術では、機器の小型化への寄与と、メモリカードの挿抜容易性とを同時に達成することは困難であるという点である。
すなわち、メモリカードの保持機構を小型化すると、一般に、メモリカードの挿抜が困難となる。
【０００６】
例えば、メモリカードをスライドさせて挿抜する場合に、保持機構の小型化のために、メモリカードを余計に撓ませる必要があり、メモリカードと保持機構を構成する筐体と一体成形された保持構造部材との摩擦が大きくなるが、小型化のためにメモリカードの挿抜性を犠牲とせざるを得なかった。
【０００７】
一方、メモリカードの挿抜性を向上させると、メモリカードの保持機構は大型化してしまう。
例えば、挿抜容易とするために、メモリカードを保持する部分を可動としたり、挿抜可能なようにメモリカードを覆うトレイを設ける等により保持機構が大型化する。また、ばねの弾性力を利用してメモリカードを変位させる場合にも、ばね等の構成部材のほか、操作部（操作ボタン等）の追加により、保持機構が大型化してしまう。
【０００８】
この発明は、上述の事情に鑑みてなされたもので、実装効率の向上及び機器の小型化に寄与することができると共に、メモリカードの挿抜操作を簡単に行うことができるカード保持構造及び該構造を備えた電子機器を提供することを目的としている。
【課題を解決するための手段】
【０００９】
上記課題を解決するために、請求項１記載の発明は、メモリカードが収容される収容部を備えた電子機器の筐体に設けられ、上記収容部において、上記メモリカードを挿抜自在に保持するためのカード保持構造に係り、上記収容部は、上記メモリカードの裏面を支持する支持部と、上記メモリカードの周側面を押える周側面押え部と、上記メモリカードの表面の少なくとも前端部を押える表面押え部とを有すると共に、上記メモリカードを挿抜するための開口が設けられ、上記周側面押え部は、上記メモリカードの上記周側面のうち後端縁を押えると共に上記収容部の奥部へ向けて湾曲可能なように形成された後端押え部を有し、上記メモリカードが上記収容部に収容された状態で、上記後端押え部が上記収容部の奥部へ向けて押されることによって、上記後端押え部が湾曲して、上記メモリカードの裏面側に潜り込み、上記メモリカードの後端部を押し上げることを特徴としている。
【００１０】
また、請求項２記載の発明は、請求項１記載のカード保持構造に係り、上記後端押え部の上記収容部の内部側には、上記メモリカードの裏面側への潜込みを容易化するための傾斜面が形成されていることを特徴としている。
【００１１】
また、請求項３記載の発明は、請求項１又は２記載のカード保持構造に係り、上記後端押え部は、上記周側面押え部を構成し、上記メモリカードの上記挿抜方向に沿った両側面を押さえる側面押え部と一体的に形成され、上記側面押え部との境界部の隅部は、略半円筒状に切り欠かれて肉薄とされ、撓み変形が容易なようにされていることを特徴としている。
【００１２】
また、請求項４記載の発明は、請求項１、２又は３記載のカード保持構造に係り、上記後端押え部の上端部の所定の部位は切り欠かれて、上記メモリカードの後端部を掴むための指差入れ部とされていることを特徴としている。
【００１３】
また、請求項５記載の発明は、請求項１乃至４のいずれか１に記載のカード保持構造に係り、上記支持部、上記周側面押え部及び上記表面押え部は、上記筐体と一体的に形成されていることを特徴としている。
【００１４】
また、請求項６記載の発明は、請求項１乃至５のいずれか１に記載のカード保持構造に係り、上記支持部は、上記メモリカードの少なくとも後端部を支持する一対の台座部からなり、上記周側面押え部は、壁状リブからなり、上記表面押え部は、庇状リブからなり、上記開口は、上記台座部の上方に設けられていることを特徴としている。
【００１５】
また、請求項７記載の発明は、請求項１乃至６のいずれか１に記載のカード保持構造に係り、上記メモリカードの裏面には、接続端子が露出状態で形成され、上記収容部には、上記接続端子に対応する接続コネクタの接続端子が配置されていることを特徴としている。
【００１６】
また、請求項８記載の発明に係る電子機器は、請求項１乃至７のいずれか１に記載のカード保持構造を備えたことを特徴としている。
【発明の効果】
【００１７】
この発明の構成によれば、メモリカードが収容部に収容された状態で、後端押え部が収容部の奥部側へ向けて押されることによって、後端押え部が湾曲して、メモリカードの裏面側に潜り込み、メモリカードの裏面の後端部を押し上げるので、実装効率の向上及び機器の小型化に寄与することができると共に、メモリカードの挿抜操作を簡単に行うことができる。
【発明を実施するための最良の形態】
【００１８】
メモリカードが収容部に収容された状態で、後端押え部が収容部の奥部側へ向けて、押されることによって、後端押え部が湾曲して、メモリカードの裏面側に潜り込んで、メモリカードの裏面の後端部を押し上げることによって、実装効率の向上及び機器の小型化に寄与することができると共に、メモリカードの挿抜操作を簡単に行うという目的を実現した。
【実施例１】
【００１９】
図１は、この発明の第１の実施例である携帯電話機のカード収容部の構成を示す平面図、図２は、同カード収容部の構成を示す正面図、図３は、同カード収容部の構成を示す断面図、図４は、同カード収容部に収容されるメモリカードとプリント基板とを接続する接続コネクタの構成を示す平面図、図５は、同接続コネクタの構成を示す正面図、図６は、同接続コネクタの構成を示す側面図、図７は、同メモリカードの構成を示す平面図、図８は、同メモリカードの構成を示す正面図、図９は、同メモリカードの構成を示す側面図、図１０は、同カード収容部に同メモリカードが収容された状態を示す平面図、図１１は、同カード収容部に同メモリカードが収容された状態を示す正面図、図１２は、同カード収容部に同メモリカードが収容された状態を示す断面図、図１３は、同カード収容部から同メモリカードを取り外す様子を示す平面図、また、図１４は、同カード収容部から同メモリカードを取り外す様子を示す断面図である。
【００２０】
この例の電子機器としての携帯電話機は、例えば、ＳＩＭ（Subscriber Identity Module）カード等の小型のメモリカードＭから所定の情報を読み取るためのカード読取部を備えてなると共に、その筐体内部には、図１乃至図３に示すように、メモリカードＭを収納するためのカード収納部１が形成されている。
【００２１】
この携帯電話機は、例えば、折畳可能な筐体を備えると共に、上部ユニットと下部ユニットとが、折畳可能なようにヒンジ部で相互に結合されて構成されている。
上部ユニットは、扁平な上部筐体に、例えば液晶表示装置からなる表示部や、通話時に受話音声を出力する受話部等が実装されて概略構成され、下部ユニットは、扁平な下部筐体に、ＣＰＵ（中央処理装置）等からなる制御部や、ＲＯＭ、ＲＡＭ等の半導体メモリからなる記憶部、通話やデータ通信を行うための無線通信部、メモリカードＭから所定の情報を読み取るためのカード読取部、各種操作キー等からなる操作部、送話音声を入力する送話部、電池パックを有する電源部等が実装されて概略構成されている。
【００２２】
下部筐体は、例えばＡＢＳ樹脂等の合成樹脂成形品からなり、それぞれ、内面側を構成するフロントケースと、外面側を構成するリアケースとを有し、組み合されたフロントケースとリアケースとが、リブにおける嵌合によって、又は雌ねじや雄ねじ等の固定具による締付けによって、各種構成部品が内部に収納され、又は取り着けられた状態で、組み立てられてなっている。なお、上部筐体も、下部筐体と同様の構成とされている。
【００２３】
下部筐体のリアケースには、内部に、扁平な略直方体形状の電池パックが着脱自在に装着される電池収容部が形成され、この電池収容部の近傍に、カード収容部１が設けられ、電池収容部とカード収容部１とを共に覆うように、平板状のカバー部材が、リアケースに着脱自在に取り着けられ、電池パックが、電池収容部に収容された状態で、かつ、メモリカードＭが、カード収容部１に収容された状態で、カバー部材によって覆われて保護される。
【００２４】
メモリカードＭは、挿抜可能に、かつ、接続コネクタ２に接続されるように保持された状態で、カード収納部１に収納される。
すなわち、この例のカード保持構造３は、図１乃至図３に示すように、メモリカードＭが、その下面Ｍbを台座部６，６によって支持され、上面Ｍaの前端部を上面押え部９によって押えられ、周側面Ｍcを周側面押え部８によって押えられ、かつ、下面Ｍbに形成された接続端子が接続コネクタ２の対応する接続端子２ａ，２ａ，…に接続された状態でカード収納部１に収容されると共に、後端縁Ｍpを周側面押え部８のうち、カード収納部１の奥部へ向けて湾曲可能なように形成された後端押え部１６によって押えられ、後端押え部１６がカード収納部１の奥部へ向けて押されることによって、後端押え部１６が湾曲して、メモリカードＭの下面Ｍb側に潜り込み、メモリカードＭの下面Ｍbが後端押え部１６によって押し上げられて、抜去容易とされて概略構成されている。
【００２５】
カード収納部１は、下部筐体のリアケースを構成し、接続コネクタ３が露出された平板部５と、平板部５上に形成され、メモリカードＭを支持する一対の台座部６，６と、平板部５から立設され、略矩形状のメモリカードＭの周側面を囲むように形成された平面視ロ字状の周側面押え部（壁状リブ）８と、平板部５の一部に対向するように形成され、メモリカードＭの上面Ｍａの前端部を押える庇状の上面押え部（庇状リブ）９とを有すると共に、台座部６，６の上方には、メモリカードＭを挿抜するための開口１１が形成されている。
【００２６】
カード収納部１において、平板部５と、周側面押え部８と、上面押え部９とで囲まれたメモリカードＭの収納領域１２が形成され、メモリカードＭは、周側面押え部８によって、その周側面Ｍcが押えられると共に、上面押え部９と、一対の台座部６，６及び接続コネクタ３とによって挟み付けられて、保持されると共に、その接続端子が接続コネクタ２の対応する接続端子２ａに弾性的に押し付けられる。
【００２７】
周側面押え部８は、メモリカードＭの両側面Ｍr，Ｍsを押える一対の側面押え用部１４，１４と、メモリカードＭの先端面Ｍqを押える先端面押え部１５と、メモリカードＭの後端面Ｍpを押える後端押え部１６とを有している。
【００２８】
この平面視ロ字状の周側面押え部８の内部の寸法は、メモリカードＭの外形寸法よりも若干大きく設定されている。
メモリカードＭの後端面Mpを押える後端押え部１６は、平板部５から切り離されて、カード収納部１の奥部側に湾曲（撓み）可能なように形成され、撓むことによって、メモリカードＭの後端側の下面Ｍb側に潜り込み、メモリカードＭの下面Ｍbの後端部を押し上げる。
【００２９】
この例では、後端押え部１６の下端縁と、平板部５との間には、スリット状の切欠き部が形成され、かつ、後端押え部１６は、側面押え部１４，１４と一体的に形成されている。
また、後端押え部１６のカード収容部１の内部側には、傾斜面１６ａが形成されている。これによって、メモリカードＭの下面Ｍb側に潜込み容易とされる。
【００３０】
また、側面押え部１４，１４と、後端押え部１６との隅部（内部側）には、半円筒状に切り欠かれて肉薄とされた切欠き部１７が形成されて、後端押え部１６が撓み変形容易なように構成されている。
また、後端押え部１６の中央部の上部は、半円状に切り欠かれて、手指の差し入れを可能とし、メモリカードＭの後端部を掴むための指差入れ部（指逃げ部）１６ｂとされている。
【００３１】
これにより、メモリカードＭ抜去時に、メモリカードＭに後端部を撓ませて、手指によって把持して抜取容易なようにされている。
なお、側面押え部１４，１４及び前端面押え部１５は、メモリカードＭを保持するための所定の強度が確保されるように形成されている。
【００３２】
メモリカードＭは、図７乃至図９に示すように、略矩形状の薄板状を呈し、後端側の角部が切り欠かれて切欠き部Ｍdが形成され、挿入方向が確認可能なようにされている。この例では、メモリカードＭは、その長さ方向に沿って挿抜される。
メモリカードＭは、下面Ｍbに接続端子が形成され、接続コネクタ２を介して、無線回路等が搭載されたプリント配線板上の所定の端子に接続される。
【００３３】
接続コネクタ２は、図４乃至図６に示すように、ばね性を有する断面略くの字形の接続端子２ａ，２ａ，…を有し、各接続端子２ａは、その先端が平板部５に対して直交する方向に沿って変位可能なように形成され、所定の大きさの復元力によって、接続端子２ａは、メモリカードＭの接続端子を押圧する。
なお、この例では、リアケースの外表面側を上側（上面）として、メモリカードＭの挿抜を行う。
【００３４】
次に、この例のカード保持構造３の機能について、図１０乃至図１４を用いて説明する。
メモリカードＭをカード収納部１に挿入する際には、図１０乃至図１２に示すように、切欠き部Ｍdを確認して、メモリカードＭを、その先端部を前方として開口１１から差し入れ、台座部６，６上を摺動させて挿入し、収納領域１２に配置する。
【００３５】
ここで、メモリカードＭは、その下面Ｍbを台座部６，６によって支持され、上面Ｍaの前端部を上面押え部９によって押えられ、周側面Ｍcを周側面押え部８によって押えられ、かつ、下面Ｍbに形成された接続端子が接続コネクタ２の対応する接続端子２ａ，２ａ，…に接続された状態でカード収納部１に収容される。
【００３６】
また、メモリカードＭは、周側面押え部８によって、その周側面Ｍcが押えられると共に、上面押え部９と、一対の台座部６，６及び接続コネクタ３とによって挟み付けられて、保持されると共に、接続端子が接続コネクタ２の対応する接続端子２ａに弾性的に押し付けられる。
【００３７】
次に、メモリカードＭをカード収納部１から抜去する際には、図１３及び図１４に示すように、後端押え部１６をカード収納部１の奥部側へ向けて押して、後端押え部１６を湾曲させる。
ここで、側面押え部１４と、後端押え部１６との隅部には、切欠き部１７が形成されていることによって、後端押え部１６は、容易に撓み変形する。
【００３８】
後端押え部１６を湾曲させることによって、メモリカードＭの下面Ｍb側に潜り込ませる。ここで、後端押え部１６の傾斜面１６ａによって案内されて、メモリカードＭの後端縁が円滑に押し上げられる。
次に、指差入れ部１６ｂから手指を差し入れて、メモリカードＭの後端部を抓んで引く抜いて、メモリカードＭを取り出す。
【００３９】
このように、この例の構成によれば、メモリカードＭがカード収容部１に収容された状態で、後端押え部１６がカード収容部１の奥部側へ向けて押されることによって、後端押え部１６が湾曲して、メモリカードＭの下面Ｍb側に潜り込み、メモリカードＭの下面Ｍbの後端部を押し上げるので、メモリカードＭの挿抜操作、特に取出操作を簡単に行うことができる。
【００４０】
しかも、カード保持構造３において、メモリカードＭを保持するために必要な占有領域は、メモリカードＭの周囲に配置され、筐体と一体成形された周側面押え部８や上面押え部９等の厚さ分程度であり、メモリカードＭを挿抜容易とするための部材も、保持のために用いられる周側面押え部８の一部（後端押え部１６）が兼ねているので、実装効率の向上及び機器の小型化に寄与することができる。
すなわち、収納状態のメモリカードＭの外側の上記占有領域が小さく、部品実装面積の欠損が少ない。
【００４１】
また、後端押え部１６のカード収容部１の内部側には、傾斜面１６ａが形成されているので、後端押え部１６を撓ませて、容易にメモリカードＭの下面Ｍb側への潜り込ませて、メモリカードＭを上方に撓わませることができる。
【００４２】
また、後端押え部１６は、周側面押え部８を構成し、メモリカードＭの挿抜方向に沿った両側面Ｍr，Ｍsを押さえる側面押え部１４，１４と一体的に形成され、側面押え部１４，１４との境界部の隅部は、略半円筒状に切り欠かれて肉薄とされて切欠き部１７が形成されているので、後端押え部１６を容易に撓ませることができる。
【００４３】
また、後端押え部１６の上端部の所定の部位は切り欠かれて、メモリカードＭの後端部を掴むための指差入れ部１６ｂとされているので、上方に撓んだメモリカードＭを容易に抜去することができる。
【実施例２】
【００４４】
この例が上述した第１の実施例と大きく異なるところは、第１の実施例では、周側面押え部や上面押え部等を、筐体と一体的に成形したのに対して、トレイ状の周側面押え部及び上面押え部を、筐体を構成する平板部に、例えばリブ等の嵌合によって取り付けて、カード収容部を形成した点である。
これ以外の構成は、上述した第１の実施例の構成と略同一であるので、その説明を省略する。
【００４５】
この例の構成によれば、上述した第１の実施例と略同様の効果を得ることができる。
加えて、例えば破損時に、カード収容部を交換することができる。また、別の種類のメモリカードに対応可能なようにカード収容部の寸法を変更することができる。
【００４６】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、筐体材料としては、ＡＢＳ樹脂を用いる場合について述べたが、ＡＢＳ樹脂に限らず、ポリカーボネートや、アクリル樹脂、ＰＥＴ等他の樹脂製部材を用いても良い。
【００４７】
また、メモリーカードとして、ＳＩＭカードのほか、例えば、ＳＤ（Secure Digital）カード（登録商標）や、miniＳＤカード（登録商標）を用いる場合に適用することができる。
また、可撓性の後端押え部を弾性を有する別部材として作成して、側面押え部に取り付けても良い。
【００４８】
また、カード保持構造は、筐体内部に限らず、例えば、筐体の側面部に形成する場合にも適用することができる。
また、カード読取部のほか、メモリカードから情報を読み取り、かつ、書き込むためのカード読取書込部を設ける場合に適用できる。
また、携帯電話機としては、折畳み式の携帯電話機に限らず、ストレートタイプの携帯電話機であっても良い。
【産業上の利用可能性】
【００４９】
携帯型の電子機器としては、携帯電話機のほか、簡易型携帯電話（ＰＨＳ）端末や、携帯情報端末（ＰＤＡ）、携帯型のコンピュータに対して適用できる。また、電子機器として、携帯型のもののほか、コンピュータや、光学機器、音響機器等を構成する薄型電子部品を収納する収納部に適用できる。
【図面の簡単な説明】
【００５０】
【図１】この発明の第１の実施例である携帯電話機のカード収容部の構成を示す平面図である。
【図２】同カード収容部の構成を示す正面図である。
【図３】同カード収容部の構成を示す断面図である。
【図４】同カード収容部に収容されるメモリカードとプリント基板とを接続する接続コネクタの構成を示す平面図である。
【図５】同接続コネクタの構成を示す正面図である。
【図６】同接続コネクタの構成を示す側面図である。
【図７】同メモリカードの構成を示す平面図である。
【図８】同メモリカードの構成を示す正面図である。
【図９】同カード収容部に同メモリカードが収容された状態を示す平面図である。
【図１０】同カード収容部に同メモリカードが収容された状態を示す正面図である。
【図１１】同カード収容部に同メモリカードが収容された状態を示す側面図である。
【図１２】同カード収容部から同メモリカードを取り外す様子を示す断面図である。
【図１３】同カード収容部から同メモリカードを取り外す様子を示す平面図である。
【図１４】同カード収容部から同メモリカードを取り外す様子を示す断面図である。
【符号の説明】
【００５１】
１      カード収容部（収容部）
２      接続コネクタ
２ａ      接続端子
３      カード保持構造
６      台座部（支持部）
８      周側面押え部
９        上面押え部
１１      開口
１６        後端押え部
１６ａ        傾斜面
１６ｂ        指差入れ部
１７      切欠き部
Ｍ      メモリカード
Ｍa      上面（表面）
Ｍb      下面（裏面）
【図１】
2008250563.tif 000003
【図２】
2008250563.tif 000004
【図３】
2008250563.tif 000005
【図４】
2008250563.tif 000006
【図５】
2008250563.tif 000007
【図６】
2008250563.tif 000008
【図７】
2008250563.tif 000009
【図８】
2008250563.tif 000010
【図９】
2008250563.tif 000011
【図１０】
2008250563.tif 000012
【図１１】
2008250563.tif 000013
【図１２】
2008250563.tif 000014
【図１３】
2008250563.tif 000015
【図１４】
2008250563.tif 000016